(57)【要約】【課題】コイル編みによる円座構造体を提供し、重厚で多彩な変化を有し、意匠性に優れた円座の作品展開をはかる。【解決手段】複数のくさり編目を輪に丸めて、該輪を中心として放射方向に、中心糸の周りに糸を複数回、巻き付けたコイル編み材１を互いに並列する如く連続編成してなると共に、並列された各コイル編み材１の先端側を周方向に一連の引き抜きによるくさり編目により引きしめた立体モチーフＢを中心に配置し、その外周に連続して多重に順次径大となるコイル編み材１１の並列による環状部(ａ)〜(ｅ)を形成し、最外側環状部ｅ外周を細編み１２により編着して円座構造体とした。【選択図】    図１
0003108290.tif 000002
【実用新案登録請求の範囲】
【請求項１】
太番手糸により一連に編成され、複数のくさり編目を輪に丸めて、該輪を中心として放射方向に、中心糸の周りに糸を複数回、巻きつけたコイル編み材を互いに並列する如く所要個数連続編成してなると共に、並列された各コイル編み材の先端側を周方向に一連の引き抜きによるくさり編目により連結し、、かつ引きしめて前記放射状態に並列された各コイル編み材を夫々、外方に膨出させ、周方向に凹凸を有する球帯形状に形成したコイル編みによる立体モチーフを中心に位置させて、該モチーフを中心としてその外周に前記中心糸のまわりに糸を複数回巻きつけたコイル編み材を放射方向に所要数並列せしめて環状に連続編成した環状部を形成し、次いで該環状部外周側に連続して前記コイル編み材の並列数を増やして順次、径大となる複数の環状部を連続編成して、複数の同心環状部からなる円形構造体を形成すると共に、最外側の環状部外周を細編みにより編着してなることを特徴とするコイル編みによる円座構造体。
【請求項２】
請求項１記載の複数の同心環状部からなる円形構造体を上下重ね合わせて、その外周を細編により編み付け一体化して、リバーシブルとなしたことを特徴とするコイル編みによる円座構造体。
【請求項３】
中心に位置するモチーフの放射方向のコイル編み材並列数が１２個であり、順次、径大となる外周の環状部の放射方向の並列数が１２×ｎ(ｎはモチーフから外周方向への順次数)個である請求項１または２記載のコイル編みによる円座構造体。
【考案の詳細な説明】
【技術分野】
【０００１】
本考案はコイル編手法により作成した円座構造体に関するものである。
【背景技術】
【０００２】
従来、円座クッション等は編織物からなる表裏両外装材の間に緩衝用詰物材を入れ、周縁を縫着することにより作成されることが一般的であった(例えば特許文献１参照)が、一方、手芸操作により編成して作成することも広く行われており、例えば六角形状の角座や、お花畑の円座，花モチーフの円座など、種々の円座，角座作品が展開されている。
(例えば非特許文献１参照)
その作品の１例を例示すると、例えば花モチーフの円座では先ず、花モチーフを指定の色で所定数作り、次いで小花モチーフを作って花モチーフを中心・二色に編みつなぎ、次に小花モチーフを綴じ付け表側を編成する。
【０００３】
一方、輪の中に所要の長編み編目を編み入れ、増し、配色しながら裏側を編んで前記表側と合わせ、バック細編で編み、表側と綴じ合わせて円座に作成されている。
【０００４】
ところが、上記手芸による円座，角座等においては通常、前記のように表側を編み、種々のモチーフを編み入れると共に裏側の編成を行って表裏を綴じ合わせることが一般的であった。
【０００５】
そこで、本出願人は表裏を綴じ合わせず立体的モチーフだけを使用して作品を展開することを見出し、これに適合した新規なコイル編による立体モチーフをさきに提供し、種々の色彩の組み合わせにより多彩な変化に富み、意匠性に優れたコイル編手法の作品を提案した。
【０００６】
即ち、この作品は、太番手糸により一連に編成されたコイル編みによる立体モチーフであって、複数のくさり編目を輪に丸めて、該輪を中心として放射方向に、中心糸の周りに糸を複数回巻きつけたコイル編み材を互いに並列する如く連続編成すると共に、並列された各コイル編み材の先端側を周方向に一連の引き抜きによるくさり編目により連結し、かつ引きしめて前記放射状に並列された各コイル編み材を夫々、外方に膨出させた周方向に凹凸を有する球帯形状であり、この立体モチーフを所要個数、互いに連繋して形成した円座等である
【特許文献１】実用新案登録第３０３１０１１号公報
【非特許文献１】２００３年９月１０日、ハマナカ株式会社発行「ハマナカジャン                      ボニーですぐ編める円座と角座」特に第１６〜１７頁、２４〜２                      ５頁参照
【考案の開示】
【考案が解決しようとする課題】
【０００７】
本考案は上述の如きコイル編手法による作品について、更に上記立体モチーフの利用を進め、作品のより発展を図るべく、コイル編手法による新規な編成態様を見出し、同作品の応用範囲を拡げることを目的とするものである。
【課題を解決するための手段】
【０００８】
即ち、上記目的に適合する本考案円座構造体の特徴は、１つは太番手糸により一連に編成され、複数のくさり編目を輪に丸めて、該輪を中心として放射方向に、中心糸の周りに糸を複数回、巻きつけたコイル編み材を互いに並列する如く所要個数連続編成してなると共に、並列された各コイル編み材の先端側を周方向に一連の引き抜きによるくさり編目により連結し、かつ引きしめて前記放射状態に並列された各コイル編み材を夫々、外方に膨出させ、周方向に凹凸を有する球帯形状に形成したコイル編みによる立体モチーフを中心に位置させて、該モチーフを中心としてその外周に前記中心糸のまわりに糸を複数回巻きつけたコイル編み材を放射方向に所要数並列せしめて環状に連続編成した環状部を形成し、かつ更に該環状部の外周側に連続して前記コイル編み材の並列数を増やして順次、径大となる複数の環状部を連続編成して、複数の同心環状部よりなる円形構造体を形成すると共に、最外側の環状部外周を細編みにより編み付け形成したコイル編みによる円座構造体であり、更に、他の１つは上記記載の複数の同心環状部からなる円形構造体を上下に２段重ね合わせて、外周を細編みにより編み付け一体化して、リバーシブルとなした円座構造体である。
【０００９】
なお、上記円座構造体において、中心に位置するモチーフの放射方向のコイル編み材並列数が１２個であり、順次、径大となる外周の環状部の放射方向の並列数が１２×ｎ(ｎはモチーフから外周方向への順次数)個である構造体は最も一般的であり、実用的である。
【考案の効果】
【００１０】
本考案円座構造体はコイル編みによる立体モチーフと、その外周の多重環部からなり、
変化に富み、かつ各環状部に異色の糸を配することにより多彩かつ意匠外観に優れた円座を得ることができ、しかも太番手の糸を用い、更に二重に重ねて一体化を計るなどにより極めて嵩高性に富む重厚な円座を得ることができる効果を有している。
【考案を実施するための最良の形態】
【００１１】
以下、更に本考案円座構造体の具体的構成例を添付図面に基づいて説明する。
【００１２】
図１は本考案に係るコイル編みによる円座構造体Ａであり、中心部に球帯形状の立体モチーフＢを配置して、そのまわりに図２(イ)，(ロ)に示すように連続編成されてコイル編みの並列による環状部が順次、複数、図では５重にわたる環状部(ａ)〜(ｅ)として形成され、最外側において細編み１２により編みつけられて円座構造体に作成されている。
【００１３】
図３は上記本考案円座構造体の中心部に配置される立体モチーフＢの例であり、太番手の糸により一連の編成により作成され、複数のくさり編目を輪に丸めたものを中心として、その外周にコイル編み材１によるコイル編みが複数、図示例では１２個が周方向に凹凸を有してみかんの袋状に並列され、球帯形状に作成されている。
【００１４】
図４〜６は上記モチーフ１の一連の編成態様例を示しており、図４はモチーフＢ作成時の基点となる中心部の編成、図５は外周部を形成するコイル編みの編成、図６はコイル編み編成後の各コイル編み先端の引きしめ部の編成を夫々、示している。
【００１５】
即ち、図４では先ず編針２(以後、単に針という)によりくさり編み３を図では３目編み
((イ)図)、この３目のくさり編み３を(ロ)図のように輪４にする。
【００１６】
そして、次の図３の段階に移り、(イ)図の如く輪にした３目のくさり編み４により立ち上がりを針２により３目だけ編目５を編み、そして針２に糸を例えば５回コイル状に巻いたところで該巻糸６の針２を輪の中心に入れ((ハ)図参照)、糸７をかけて立ち上がり３目と同じ長さだけ引き出す((ニ)図参照)。
【００１７】
かくて、さきに５回巻いた糸６を順次、上記(ニ)図で引き出した糸７に指で１目ずつ引出し((ホ)図参照)、５目全部を抜き出したところで針２に糸をかけて引き抜く。
【００１８】
このようにして(へ)図の如く１つのコイル編みが完成し、同様にして順次、１２編目編み終わると、図６(イ)に示す段階で１番始め頭目８に引き抜いて輪にし、その後、続けて(ロ)図に示す如く１周、頭目８に引き抜く。
【００１９】
このとき、各コイル編みの先端を引き締めることでモチーフの形を整え、１周終わったら(ハ)図に示すように始めの引き抜きに引き抜くことにより最終的に図３に示す中心のモチーフＢを得る。
【００２０】
そして、本考案円座構造体Ａを形成するにあたっては、図１に示す如く上記モチーフＢを中心に位置させて、該モチーフＢを中心として、モチーフＢの外周に順次、針を入れて前記中心糸のまわりに糸を複数回、例えば５回巻きつけたコイル編み材１１を放射方向に所要数、例えば１２個並列せしめて環状に連続編成することによりモチーフＢのまわりに第１の環状部ａを形成し、次いで前記第１の環状部ａの外周に順次、連続的に針を入れて前記コイル編み材１１を所要数、例えば２４個並列せしめて第２の環状部ｂを連続形成し、爾後、同様にして外周方向に１２個ずつ、即ち外周方向に１２×ｎ(ｎはモチーフ外周方向への順次数)個ずつ、並列数を増やして第３，第４，第５の各環状部ｃ，ｄ，ｅを連続形成し、最外側の環状部ｅ外周を細編み１２により編着することによってモチーフＢを中心に５重の環状部を形成した図１に示す円座構造体Ａが得られる。
【００２１】
勿論、図示例は５重の環状部となっているが、５重に限らず、目的，用途に対応して３重，４重あるいは６重，７重とすることも可能であり、本考案に含まれる。
【００２２】
また、上記多重環状部よりなる円座において、夫々の環状部を形成する糸の配色を変化させ、多彩な意匠外観に優れた円座とすることも好ましい態様である。
【００２３】
なお、使用する糸の種類，太さは作品に適合すれば特に限定されないが、嵩高さ，重厚さが好まれることから、太番手の糸を用いることが好適である。
【００２４】
図１は以上のようにして得られた中心部モチーフＢのまわりに５重の環状部(ａ)〜(ｅ)を形成した円座Ａであり、表裏リバーシブルな使用も可能であるが、更に嵩高を求めるため上記円座Ａを上下２段に重合し、それら２段の円座の外周に細編みを編み付け一体化することも好適であり、本考案の意図するところである。
【００２５】
このように重合して分厚に形成すれば、より効果的に表裏何れの面も使用し得るリバーシブル性を良好とすることができ頗る有効である。
【図面の簡単な説明】
【００２６】
【図１】本考案に係る円座構造体の平面図である。
【図２】上記円座構造体の中心部における部分拡大図で、(イ)は表面側、(ロ)は裏面側である。
【図３】本考案における中心部モチーフの１例を示す外観図である。
【図４】(イ)，(ロ)は上記モチーフ作成の第１段階の順序作用説明図である。
【図５】(イ)〜(ヘ)は上記モチーフ作成の第２段階の順次態様を示す作用説明図である。
【図６】(イ)〜(ハ)は上記モチーフ作成の第３段階の順次態様を示す作用説明図である。
【符号の説明】
【００２７】
Ａ：円座
Ｂ：中心部立体モチーフ
１，１１：コイル編み材
２：針
３：くさり編み
４：輪
５：立ち上がり編目
６：コイル巻糸
１２：細編み
ａ〜ｅ：円座の各環状部
【図１】
0003108290.tif 000003
【図２】
0003108290.tif 000004
【図３】
0003108290.tif 000005
【図４】
0003108290.tif 000006
【図５】
0003108290.tif 000007
【図６】
0003108290.tif 000008